(57)【特許請求の範囲】
【請求項１】
柱と床梁と天井梁とが略箱型に組み立てられた建物ユニットの側方に補助ユニットが突出して取り付けられたユニット建物であって、
補助ユニットが、両側の袖フレームと、袖フレーム間の上下に架け渡された屋根フレームと床フレームとからなる骨組み構造を備え、
少なくとも袖フレームと床フレームの面内には斜材が補強され、
補助ユニットの袖フレームが、柱取付け片とこの柱取付け片の一側面に立設された袖フレーム取付け片とからなる上部取付け金具と、柱取付け片とこの柱取付け片の一側面に立設された袖フレーム取付け片と底板とからなる下部取付け金具と、を介して建物ユニットの柱に取り付け可能とされて、
前記各取付け金具が予め建物ユニットの柱に取り付けられ、補助ユニットが所定位置に位置決され、袖フレーム取付け片が建物ユニットの内側から袖フレームに取り付けられていることを特徴とするユニット建物。
【発明の詳細な説明】
【０００１】
【発明の属する技術分野】
本発明は、ユニット建物に関する。
【０００２】
【従来の技術】
従来のユニット建物において、特開平７−２６８９６４号公報にあるように、上階建物ユニットに補助ユニットを外壁面から外方に突出させて取り付けた所謂オーバーハング構造が知られている。上記公報記載のユニット建物は、建物ユニットに間柱が取り付けられ、この間柱に補助ユニットが取り付けられているので、柱と柱との間隔とほぼ同じ幅の補助ユニット以外の補助ユニットでも取り付けることができる。
また、上記補助ユニットが建物ユニットの桁面に取り付けるものであっても、これを施工現場で取り付けるものであるから、道路交通法等によって建物ユニットの輸送制限を受けることはない。
【０００３】
また、特開平８−１３６１９号公報に記載あるように、補助ユニットと建物ユニットとのうち一方（補助ユニット）に取付けブラケットを予め設け、建設現場で補助ユニット及び建物ユニットとのうち他方（建物ユニット）を取付けブラケットに取り付け、これによって補助ユニットの取付け作業を容易に行えるようにしている。また、取付けブラケットが垂直方向に伸びる板材と、この板材に接合され水平方向に伸びる補強片とを有しているので、横荷重に対する強度を大きくすることができる。
【０００４】
【発明が解決しようとする課題】
しかしながら、特開平７−２６８９６４号公報に記載のユニット建物は、建物ユニットの柱と補助ユニットの柱とを、その間にスペーサーを介在させて直接突き合わせ、ボルト等で固定して取り付けるので、上下左右に位置を合わせて取り付ける取付け作業に手間がかかるという問題がある。
また、特開平８−１３６１９号公報記載の補助ユニットの取付け構造によると、補助ユニットの取付け作業が容易で、横荷重に対する強度も大きくすることができるが、補助ユニットの骨組み構造が柱と梁で箱型に組まれているだけであるから、鉛直荷重や捩じり荷重に対して強度上の問題がある。特に、建物ユニットの桁面に取り付ける場合は、補助ユニットが大型化して強度的に問題を生じる。
【０００５】
本発明は、上記の問題を解決するためになされたものであって、本発明の目的は、補助ユニットの鉛直荷重と捩じり荷重に対する強度を大きくでき、さらに、取付け作業も容易なユニット建物を提供することである。
【０００６】
【課題を解決するための手段】
請求項１記載の本発明は、柱と床梁と天井梁とが略箱型に組み立てられた建物ユニットの側方に補助ユニットが突出して取り付けられたユニット建物であって、
補助ユニットが、両側の袖フレームと、袖フレーム間の上下に架け渡された屋根フレームと床フレームとからなる骨組み構造を備え、
少なくとも袖フレームと床フレームの面内には斜材が補強され、
補助ユニットの袖フレームが、柱取付け片とこの柱取付け片の一側面に立設された袖フレーム取付け片とからなる上部取付け金具と、柱取付け片とこの柱取付け片の一側面に立設された袖フレーム取付け片と底板とからなる下部取付け金具と、を介して建物ユニットの柱に取り付け可能とされて、
前記各取付け金具が予め建物ユニットの柱に取り付けられ、補助ユニットが所定位置に位置決され、袖フレーム取付け片が建物ユニットの内側から袖フレームに取り付けられているものである。
【０００８】
（作用）
請求項１記載のユニット建物は、補助ユニットが、両側の袖フレームと、袖フレーム間の上下に架け渡された屋根フレームと床フレームとからなる骨組み構造を備え、少なくとも袖フレームと床フレームの面内には斜材が補強されているので、補助ユニットの鉛直荷重と捩じり荷重に対する強度を大きくできる。
さらに、柱取付け片と袖フレーム取付け片とからなる取付け金具の袖フレーム取付け片が、建物ユニットの内側から袖フレームに取り付け可能になされているので、取付け金具を予め建物ユニットの柱に取り付けておき、補助ユニットをクレーン等で吊り上げて所定位置に位置決めすれば、建物ユニットの内側から補助ユニットを取り付けでき、補助ユニットの取付け作業が容易となる。
【００１０】
【発明の実施の形態】
以下、本発明の実施の形態を図面を参照して説明する。
図１〜図７は、本発明の一実施例であって、図１は建物ユニットに取り付けられた補助ユニットの骨組み構造を示す斜視図である。図２は建物ユニットの骨組み構造を示す斜視図である。図３は補助ユニットの取り付けられたユニット建物の説明図である。図４は上部取付け金具の斜視図、図５は下部取付け金具の斜視図である。図６は図１のＡ部詳細を示す説明図であって、（イ）図は斜視図、（ロ）図は断面図である。図７は図１のＢ部詳細を示す断面図である。
【００１１】
図１〜図７において、１は建物ユニットであり、この建物ユニット１の構造体は鉄骨製で、図２に示すように、４本の柱１１、１１、１１、１１と４本の床梁１２、１２、１２、１２と４本の天井梁１３、１３、１３、１３とが箱型に組み立てられたものである。
この建物ユニット１は、向かい合っている床梁１２、１２に床小梁１５が差し渡され、この床小梁１５の上に木製の床根太１６が取り付けられ、床根太１６の上に床材が張られて床が設けられている。また、向かい合っている天井梁１３、１３の下部に天井小梁１７が差し渡され、この天井小梁１７の下側に石膏ボードからなる天井材が取り付けられて天井が設けられている。また、天井梁１３と床梁１２との間に間柱１９が取り付けられ、間柱１９の両側に外壁材と内壁材とがまた、この間にガラスウールからなる断熱材が取り付けられて壁が設けられている。勿論必要があれば、壁面に出入口や窓を設けることができる。
【００１２】
２は補助ユニットであり、この補助ユニット２は、上記建物ユニット１の桁側（長辺側）全面に取り付けられるものであって（図３参照）、この補助ユニット２の構造体は鉄骨製で、図１に示すように、両側の袖フレーム２１、２１と、袖フレーム２１、２１間の上下に架け渡された屋根フレーム２３と床フレーム２４とからなっている。
上記袖フレーム２１は、左右の柱材と上下の梁材とから組み立てられ、柱材間の中央部に差し渡された桟材２２１と面内に斜交して設けられた斜材２２２とによって補強されている。
袖フレーム２１の建物ユニット１側の柱材２２は、建物ユニット１の柱１１とほぼ同じ長さになされ、袖フレーム２１から突出している。
【００１３】
上記床フレーム２４は、袖フレーム２１、２１間に差し渡された２本の梁材でなり、この梁材間に斜交する斜材２４１で補強されている。
上記屋根フレーム２３は、突出側の袖フレーム２１、２１間に差し渡されて取り付けられた梁材と、この梁材と直交する梁材とからコ字形状になされている。
【００１４】
本実施例のユニット建物においては、さらに、補助ユニット２は、上部取付け金具３と下部取付け金具４を介して建物ユニット１の柱１１に取り付けられている。
上部取付け金具３は、鉄板製であって、図４に示すように、柱取付け片３１と、この柱取付け片３１の一側面に立設された袖フレーム取付け片３２とからなっている。
上記柱取付け片３１には、上下２ヵ所にボルト挿入孔３１１、３１１が形成され、図６に示すように、このボルト挿入孔３１１に取付けボルト５を挿入し、この取付けボルト５を建物ユニット１の柱１１内に取り付けられた取付け板１１１に螺入することで、柱取付け片３１が柱１１に取り付けられる。
【００１５】
上記袖フレーム取付け片３２には、上下２ヵ所にボルト挿入孔３２１、３２１が形成され、図６に示すように、このボルト挿入孔３２１に取付けボルト６を挿入し、この取付けボルト６を袖フレーム２１の柱材２２に螺入することで、袖フレーム取付け片３２を建物ユニット１の内側から袖フレーム２１に取り付けできる。
【００１６】
下部取付け金具４は、鉄板製であって、図５に示すように、柱取付け片４１と、この柱取付け片４１の一側面に立設された袖フレーム取付け片４２と、底板４３とからなっている。
上記柱取付け片４１には、上下２ヵ所にボルト挿入孔４１１、４１１が形成され、図７に示すように、このボルト挿入孔４１１に取付けボルト５を挿入し、この取付けボルト５を建物ユニット１の柱１１内に取り付けられた取付け板１１１に螺入することで、柱取付け片４１が柱１１に取り付けられる。
【００１７】
上記袖フレーム取付け片４２には、上下２ヵ所にボルト挿入孔４２１、４２１が形成され、図７に示すように、このボルト挿入孔４２１に取付けボルト６を挿入し、この取付けボルト６を袖フレーム２１の柱材２２に螺入することで、袖フレーム取付け片４２を建物ユニット１の内側から袖フレーム２１に取り付けできる。
【００１８】
そして、現場にて屋根パネルを傾斜させて袖フレーム２１と接合して屋根を形成する。
【００１９】
（実施例の作用）
上述の通り、本実施例のユニット建物は、補助ユニット２が、両側の袖フレーム２１、２１と、袖フレーム２１、２１間の上下に架け渡された屋根フレーム２３と床フレーム２４とからなる骨組み構造を備えている。そして、袖フレーム２１と床フレーム２４が、それぞれ、その面内に斜交して設けられた斜材２２２、２４１（補強材）で補強されているので、補助ユニット２の鉛直荷重と捩じり荷重に対する強度を大きくできる。
【００２０】
また、本実施例のユニット建物は、さらに、柱取付け片３１（４１）と袖フレーム取付け片３２（４２）とからなる上部取付け金具３（下部取付け金具４）の袖フレーム取付け片３２（４２）が、建物ユニット１の内側から袖フレーム２１の柱材２２に取り付け可能になされているので、取付け金具３、４を予め建物ユニット１の柱１１に取り付けておき、補助ユニット２をクレーン等で吊り上げて所定位置に位置決めすれば、建物ユニット１の内側から補助ユニット２を取り付けでき、補助ユニット２の取付け作業が容易となる。
【００２１】
次に、図８と図９は本発明の別の実施例であって、図８は建物ユニットに取り付けられた補助ユニットの骨組み構造を示す斜視図である。図９は補助ユニットの取り付けられたユニット建物の説明図である。
本実施例において、前記実施例と同じものは同符合を付けて説明を省略し、異なるものだけ別符合を付けて説明する。
２Ａは、補助ユニットであって、この補助ユニット２Ａは、図８に示すように、基本的構造は前記第１実施例と同じであるが、その横幅が建物ユニット１の桁面の幅より小さくなされ、補助ユニット２Ａの一方の袖フレーム２１が、建物ユニット１の柱１１に取り付けられ、他方の袖フレーム２１が建物ユニット１の間柱１９に取り付けられている。
図９は上記補助ユニット２Ａが建物ユニット１の桁側に取り付けられたユニット建物を示したものであって、この補助ユニット２Ａの取付け方法は、前記第１実施例と同様、取付け金具３、４を介して取り付けられているので、説明を省略する。
なお、上記実施例に限らず、補助ユニット２Ａの両側の袖フレーム２１、２１が建物ユニットの間柱１９、１９に取り付けられていてもよい。
【００２２】
【発明の効果】
請求項１記載のユニット建物は、補助ユニットが補強材で補強され、補助ユニットの鉛直荷重と捩じり荷重に対する強度を大きくできるので、補助ユニットの出寸法を大きくすることができる。これにより、出窓や収納設備としての使用はもちろん、居室としても使用でき、利用範囲を広げることができる。
さらに、建物ユニットの内側から補助ユニットを取り付けでき、補助ユニットの取付け作業が容易となるので、建築現場での工期の短縮が図れる。
【図面の簡単な説明】
【図１】本発明の一実施例であって、建物ユニットに取り付けられた補助ユニットの骨組み構造を示す斜視図である。
【図２】建物ユニットの骨組み構造を示す斜視図である。
【図３】補助ユニットの取り付けられたユニット建物の説明図である。
【図４】上部取付け金具の斜視図である。
【図５】下部取付け金具の斜視図である。
【図６】図１のＡ部詳細を示す説明図である。
【図７】図１のＢ部詳細を示す断面図である。
【図８】本発明の別の実施例であって、建物ユニットに取り付けられた補助ユニットの骨組み構造を示す斜視図である。
【図９】補助ユニットの取り付けられたユニット建物の説明図である。
【符合の説明】
１        ユニット建物
１１      柱
１９      間柱
２        補助ユニット
２１      袖フレーム
２２      柱材
２３      屋根フレーム
２４      床フレーム
２２２    斜材
２４１    斜材
３、４    取付け金具
３１、４１    柱取付け片
３２、４２    袖フレーム取付け片
【図１】
0004044676.tif 000002
【図２】
0004044676.tif 000003
【図３】
0004044676.tif 000004
【図４】
0004044676.tif 000005
【図５】
0004044676.tif 000006
【図６】
0004044676.tif 000007
【図７】
0004044676.tif 000008
【図８】
0004044676.tif 000009
【図９】
0004044676.tif 000010